(57)【要約】【課題】  型枠工事でスラブ型枠端部に対面する型枠の支持をするセパレータの固定を、セパレータのカブリ厚さを確保し、断面積が最小限の大きさで、短い釘で固定でき、釘は脱型時にスラブ型枠に付いたまま解体できる羽子板型セパレータ支持具の提供。【解決手段】  細長く延びた袋ナット形状のセパレータ接続部（２）と薄い釘固定部（３）から構成された形状で、セパレータ（Ｓ）を本体（１）のセパレータ接続開口部（４）にねじ込み釘銅部用穴（６）に釘（Ｎ）を挿し釘固定部（３）の高さまで釘を打ち込むと釘頭部（Ｎ−ｕ）は釘等部用穴（５）に納まり本体（１）はスラブ型枠に固定される。スラブ型枠を脱型すると釘頭部（Ｎ−ｕ）と型枠に挟まれた一部が千切れ打ち込まれた状態のまま釘だけが本体から外れる羽子板型セパレータ支持具である。【選択図】図２
0003160203.tif 000002
【実用新案登録請求の範囲】
【請求項１】
プラスチック製で釘を固定する部分が薄い形状でセパレータ接続部が細長い袋ナット状でスラブ型枠端部からセパレータのカブリ厚さを充分確保できる羽子板型セパレータ支持具。
【請求項２】
釘打込み開口は釘頭部固定穴と釘胴部貫通穴の２段の釘穴とし、打込んだ釘が本体下部から容易に引き抜ける形状とする羽子板型セパレータ支持具。
【考案の詳細な説明】
【技術分野】
【０００１】  本考案は、鉄筋コンクリート構造物の型枠工事において、スラブ型枠端部からの丸セパレータのかぶり厚さを確保して接続し、固定するために打込んだ釘がスラブ型枠脱型時に一緒に引き抜かれ、なおかつコンクリートの断面欠損を防ぐ最小限の大きさと形状で、短い釘でも強度が安定している羽子板型セパレータ支持具に関する。
【背景技術】
【０００２】  従来、鉄筋コンクリート構造物の型枠工事で、スラブ型枠端部から対面する型枠の側圧を支持するためスラブ型枠コンクリートパネルに釘で固定する支持具はネジ部を支持するナットをスラブ型枠に固定するための支持部が覆う形状になっている支持具が開示されている。（実用新案文献１参照）
【実用新案文献１】
実開平０５−５８７１５号公報
【考案の概要】
【考案が解決しようとする課題】
【０００３】  上記従来のものでは、接続した丸セパレータのかぶり厚さ（１１−２）の確保が構造上困難でセパレータの錆によるコンクリートの爆裂の不安があった。（図７参照）【０００４】  上記従来のものでは、かぶり圧さを無理に確保しようとすると本来コンクリート躯体内に残らないはずの釘が打ち込まれてしまい、この打ち込まれた釘も当然かぶり厚さ（１１−２）不足または躯体表面に露出してしまう。（図８参照）【０００５】  上記従来のものでは、丸セパレータをナットで接続する構造になっているため、樹脂製本体がナットを覆う形になっているため、コンクリート躯体の断面欠損部大きい。【０００６】上記従来のものでは、釘先端部からコンクリートパネルまでの距離（１２−２）が本体の高さが高いため、内部で釘がぐらつき確実に固定出来ないこともあった。（図７・図８参照）
【課題を解決するための手段】
【０００７】  本考案は、上記課題を解決する、以下の手段を採用する。
本考案は、丸セパレータとの接続部をスラブ型枠端部からコンクリート躯体内部へ細長く伸びた袋ナット形状の先で接続するので、従来製品に比べ確実にかぶり厚さ（１１−１）が確保される。（図５・図６参照）【０００８】  本考案は、先端内部にネジ山を切った細長い袋ナット形状（２）で、釘固定部分（３）は薄くできているため、断面積及び容積が従来製品に比べ格段に小さいのでコンクリートの断面欠損が最小限に抑えられる。（図９・図１０・図１１参照）【０００９】  本考案は、スラブ固定部分は薄く釘頭部で固定するため、従来型の支持具と違い打込まれた釘先端からコンクリートパネルまでの長さが短い（１２−１）のでぐらつかず、なおかつ長さの短い釘でも安定した強度が得られるので、経済的にも優れている。（図５・図６参照）【００１０】  本考案の釘穴は、釘頭部固定穴と、釘胴部貫通穴の２段式なので釘穴開口部にコンクリートのノロの侵入がなくまた、釘胴部貫通穴の厚みが薄いのでコンクリートパネルに打ち込まれたまま容易に千切れて脱型できる。（図６参照）
【考案の実施】
【００１１】  羽子板型セパレータ支持具本体（１）のセパレータ取り付け開口部（４）へセパレータ（Ｓ）を挿入し、セパレータ接続ネジ山に（７）セパレータを完全にねじ込み、対面する側を型枠へ取り付ける。（図３）
【００１２】羽子板型セパレータ支持具本体の釘固定部分（３）の釘銅部用穴へ（６）釘を差込み、釘頭部（Ｎ−ｕ）の上端部が釘固定部分（３）と同じ高さになるまで打ち込む。打ち込まれた釘頭部（Ｎ−ｄ）は、釘頭部用穴（５）に固定される。（図２・図５）
【００１３】  コンクリート打設が完了し、型枠の解体作業が開始され羽子板型セパレータ支持具を取り付けたコンクリートパネルを脱型すると、釘（Ｎ）は釘頭部（Ｎ−ｕ）とコンクリートパネルに挟まれた釘胴部用穴（６）付近の羽子板型セパレータ支持具の１部が千切れ（６−１）コンクリートパネルに打ち込まれたまま脱型される。（図６）
【考案の効果】
【００１４】  本考案は、上記説明したように従来型（実用新案文献１参照）に比べ、下記に記載される効果を奏する羽子板型セパレータ支持具。
【００１５】  本考案の羽子板型セパレータ支持具（１）で、コンクリート躯体（１０−１）（１０−２）とセパレータ（Ｓ）かぶり厚さを充分確保でき、即ちセパレータのかぶり不足で起こる錆によるコンクリートの爆裂をおこさない効果のある羽子板型セパレータ支持具。
【００１６】  本考案の羽子板型セパレータ支持具（１）は、従来型（実用新案文献１参照）に比べ体積が小さいためコンクリートの断面欠損を最小限に抑えられ、即ちコンクリートの強度低下を抑えることができる羽子板型セパレータ支持具。（図９・図１０・図１１参照）
【００１７】  本考案の羽子板型セパレータ支持具（１）は、従来型（実用新案文献１参照）に比べ断面（２）が小さいので狭い場所での作業性が良い羽子板型セパレータ支持具。（図９・図１０・図１１参照）
【００１８】  本考案の羽子板型セパレータ支持具（１）は、釘固定部分（３）が薄く作れるので短い釘を使用することができ、使用する釘の１本あたりの単価を安くする事と使用する釘の素材を少なくすることができ環境にも良い羽子板型セパレータ支持具。（図５参照）
【図面の簡単な説明】
【００１９】
【図１】羽子板型セパレータ支持具の斜視図である。
【図２】羽子板型セパレータ支持具の取り付け前の釘との関係図である。
【図３】羽子板型セパレータ支持具の取り付け完了後の他部材との関係図である。
【図４】羽子板型セパレータ支持具の取り上部から見た断面図である。
【図５】羽子板型セパレータ支持具の取り付け完了後の側面から見た断面図である
【図６】羽子板型セパレータ支持具の取り付け完了後、コンクリートパネル型枠を脱型した様子の断面図である。
【図７】従来型の使用例の断面図である。
【図８】従来型の使用例の断面図である。
【図９】羽子板型セパレータ支持具と従来型との大きさの比較側面図である。
【図１０】羽子板型セパレータ支持具と従来型との大きさの比較正面図である。
【図１１】羽子板型セパレータ支持具と従来型との大きさの比較平面図である。
【符号の説明】
【００２０】Ｆ        フォームタイ
Ｎ        釘
Ｎ−ｕ    釘頭部
Ｎ−ｄ    釘胴部
Ｐ        パイプ
ＰＫ      Ｐコン
Ｓ        セパレータ
１        羽子板型セパレータ支持具本体
２        セパレータ接続部
３        釘固定部分
４        セパレータ接続開口部
５        釘頭部用穴
６        釘胴部用穴
６−１    コンクリートパネルと釘頭部に挟まれ脱型時にとれた釘胴部用穴周辺の本体一部
７        セパレータ接続ネジ山
８        コンクリートパネル
９        桟木
１０−１  スラブコンクリート躯体
１０−２  壁・梁コンクリート躯体
１１−１  羽子板型セパレータ支持具のかぶり厚さ
１１−２  従来型のかぶり厚さ
１２−１  羽子板型セパレータ支持具の釘先端からのコンクリートパネルまでの距離
１２−２  従来型の釘先端からコンクリートパネルまでの距離
１３      従来型の支持具本体
【図１】
0003160203.tif 000003
【図２】
0003160203.tif 000004
【図３】
0003160203.tif 000005
【図４】
0003160203.tif 000006
【図５】
0003160203.tif 000007
【図６】
0003160203.tif 000008
【図７】
0003160203.tif 000009
【図８】
0003160203.tif 000010
【図９】
0003160203.tif 000011
【図１０】
0003160203.tif 000012
【図１１】
0003160203.tif 000013